(57)【要約】【課題】  鳥類が電線に着地するのを確実に防止し、かつ安価に製造でき、取り付け作業が簡単であり、かつ、作業者の技能や経験によらず確実に鳥類の電線への接近を防止しうる鳥害防止装置を提供することを目的としている。【解決手段】  本発明の鳥害防止装置１００は、起伏を繰り返す表面形状を有する反射部１１０と、反射部１１０を支持する支持部１２０とを備え、反射部１１０の表面は光を複数の異なる波長で反射することを特徴としている。【選択図】    図１
2008295314.tif 000002
【特許請求の範囲】
【請求項１】
鳥類の接近を阻止する鳥害防止装置において、
起伏を繰り返す表面形状を有する反射部と、
前記反射部を支持する支持部とを備え、
前記反射部の表面は光を複数の異なる波長で反射することを特徴とする鳥害防止装置。
【請求項２】
前記反射部の表面は、鉛直方向に起伏していることを特徴とする請求項１記載の鳥害防止装置。
【請求項３】
前記反射部は、平板を起伏させた形状を有することを特徴とする請求項１に記載の鳥害防止装置。
【請求項４】
前記反射部は、略円筒形状を有することを特徴とする請求項１に記載の鳥害防止装置。
【請求項５】
前記反射部は、２枚の平板を水平方向に起伏させた形状を有し、かつこれらが十字形状に略直交していることを特徴とする請求項１に記載の鳥害防止装置。
【請求項６】
前記反射部は、弾性を有し、風圧で撓むよう構成されていることを特徴とする請求項１に記載の鳥害防止装置。
【請求項７】
前記反射部および前記支持部は、絶縁体であることを特徴とする請求項１に記載の鳥害防止装置。
【請求項８】
前記支持部は、
前記反射部を設置する設置部と、
該支持部を電線に固定する固定部と、
前記設置部を前記固定部の上方に配置する支柱部とを備えることを特徴とする請求項１に記載の鳥害防止装置。
【請求項９】
前記設置部は、前記反射部を任意の方向に設置可能なことを特徴とする請求項８記載の鳥害防止装置。
【請求項１０】
前記支柱部と前記固定部とは複数の回転位置で固定可能なことを特徴とする請求項８に記載の鳥害防止装置。
【請求項１１】
前記設置部から前記反射部の先端までの長さは、前記支柱部の高さよりも短いことを特徴とする請求項８に記載の鳥害防止装置。
【請求項１２】
前記支柱部は、弾性を有し、風圧で撓むよう構成されていることを特徴とする請求項８に記載の鳥害防止装置。
【請求項１３】
前記固定部は、電線を挟持する電線挟持部をさらに備えることを特徴とする請求項８に記載の鳥害防止装置。
【請求項１４】
前記固定部は、電線に巻回させる帯状の巻回部をさらに備えることを特徴とする請求項８に記載の鳥害防止装置。
【請求項１５】
前記巻回部は、電線と接触する面に粘着剤を備えることを特徴とする請求項１４に記載の鳥害防止装置。
【発明の詳細な説明】
【技術分野】
【０００１】
本発明は、鳥類の接近を阻止する鳥害防止装置に関するものである。
【背景技術】
【０００２】
電柱や建物に張架されたケーブルは木の枝に似て、以前からカラスや鳩、雀などの鳥類の格好の留まり場所となっている。ケーブルにカラスや鳩などの鳥類が留まると、糞を落下させて機器や周囲の住宅、通行する人間に被害を及ぼす可能性がある。また、鳥の数が増えればゴミを漁ったり、時として人間に襲いかかったりするため、ケーブルが鳥の居住空間として利用されてしまうことを防止する必要がある。
【０００３】
さらに電柱の上においては、濡れた鳥がケーブル間に触れたり、鳥がケーブルをつついて被覆やカバーを破いてしまい、地絡して停電するなど事故を発生する原因となる。すなわち鳥は、人にも電気設備にも支障を及ぼす可能性があるため、鳥がケーブルに留まることを防止したいという要請がある。
【０００４】
ケーブルに留まる鳥が原因で糞害が発生すると、ケーブルの管理者に連絡がきて、何らかの対策を取ることになる。また、短絡などの設備の故障が発生した場合には、やはり設備（ケーブル）の管理者が対策を講じることになる。したがって管理者にとって、鳥害対策は重要な事項の一つになっている。対策の一つとしては、例えばケーブルが電線である場合、電線の位置をずらすことが考えられる。もう一つの対策としては、電線に鳥が留まらないようにケーブルに鳥害防止装置を取り付けることが考えられる。
【０００５】
従来からも、ケーブルに鳥を留まらせないようにして鳥害を防止する鳥害防止装置として、さまざまな構成が提案されている。例えば、回転筒を擬似止まり木として腕金に設置し、鳥類が回転筒にとまろうとすると回転筒が回転し、鳥類がバランスを崩すことによって、腕金に鳥類をとまらせない構成を有するものがある。また、樹脂で構成されたブラシ状のものを腕金に設置することによって、ブラシ状のものが不用意に鳥類にふれ、鳥類を腕金にとまらせない構成を有するものもある。また、アーチ状の線状部で構成されたものを設置し、鳥類が羽を広げた状態で滑空しながらとまろうとしても、鳥類の羽が線状部にあたるため、鳥類を腕金にとまらせない構成を有するものも知られている。
【０００６】
しかし、上記のような鳥類が忌避する形状を有するものによる鳥害への対策は、効果が低かったり、高圧電線と離隔して設置することができなかったり、取り付け作業に長時間を費やしたりするという問題があった。
【０００７】
そこで近年、様々な波長の光の反射を用いて鳥類を威嚇し、電柱等への鳥害を防止する様々な防止装置が提案されている。例えば、特許文献１（特開２００７−２８９２６）には、半円筒形状を有するガラスもしくは樹脂の成型体の表面を鳥類が忌避すると考えられる色（複数の異なる波長を有する色いわゆる玉虫色）にした構成が記載されている。また、特許文献２（特開２００６−１４９３２７）には、緩やかな蒲鉾形状を有する金属板、樹脂板等の表面に玉虫色を異なる密度で塗布した構成が記載されている。また、特許文献３（特開２００６−２０５９８）には、玉虫色を反射するホログラムシートを円筒面もしくは円錐曲面に沿って形成し、鳥害を防止する構成が記載されている。
【特許文献１】特開２００７−２８９２６号公報
【特許文献２】特開２００６−１４９３２７号公報
【特許文献３】特開２００６−２０５９８号公報
【発明の開示】
【発明が解決しようとする課題】
【０００８】
しかし、特許文献１の鳥害防止装置は、半円筒形状の表面を玉虫色にしているだけなので、鳥害防止装置を視認する角度の変化（視認する位置の変化）に対して、反射する波長の変化が乏しく、鳥類が短期間で慣れてしまい、効果が持続しないという問題がある。また、指向性を有することから、１つの鳥害防止装置で全方向からの鳥類の接近を阻止することは、困難である。
【０００９】
また、特許文献２の鳥害防止装置は、表面に玉虫色を異なる密度で塗布しているため、特許文献１よりは波長が変化する。しかし、緩やかな蒲鉾形状を有しているため、指向性を有することとなってしまう。
【００１０】
また、特許文献３の鳥害防止装置は、ホログラムシートを用いているため、ある程度表面形状を変化させることができ、波長を幾分変化させることはできる。しかし、あくまでもシート形状であるため、鳥害防止装置を視認する角度の変化（視認する位置の変化）に対して、反射する波長の変化が乏しい。したがって十分に鳥類の接近を阻止できるとはいいがたかった。
【００１１】
そこで、本発明は、鳥類が電線に着地するのを確実に防止し、かつ安価に製造でき、取り付け作業が簡単であり、さらに作業者の技能や経験によらず確実に鳥類の電線への接近を防止しうる鳥害防止装置を提供することを目的としている。
【課題を解決するための手段】
【００１２】
上記課題を解決するために、本発明にかかる鳥害防止装置の代表的な構成は、鳥類の接近を阻止する鳥害防止装置において、起伏を繰り返す表面形状を有する反射部と、反射部を支持する支持部とを備え、反射部の表面は光を複数の異なる波長で反射することを特徴とする。
【００１３】
上記構成によれば、反射部の表面は起伏を繰り返す形状を有するため、視認する角度の変化（視認する位置の変化）に対して、反射する波長が著しく変化する。これにより、鳥類が忌避する複数の異なる波長を有する色（いわゆる玉虫色）を、鳥害防止装置が常に変化を伴って発することとなる。従って、極めて有効に鳥類が接近することを防止することができる。
【００１４】
また、反射部の表面は、鉛直方向に起伏していてもよい。これにより、鳥類が反射部の上方を飛行する際、鳥類は反射部を視認することとなる。従って、鳥類が反射部の上方を飛行するときから、反射部の付近に接近するのを防止でき、鳥類を鳥害防止装置の近傍に着地させることを防ぐことが可能となる。
【００１５】
また、反射部は、平板を起伏させた形状を有していてもよい。これにより、広い範囲に光を複数の異なる波長で反射させることができる。従って、鳥類が鳥害防止装置を視認する確率が向上する。
【００１６】
また、反射部は、略円筒形状をしてもよい。これにより、上下水平方向に反射部を向けることができる。従って、上下水平方向からの鳥類の接近を防止することが可能となる。
【００１７】
また、反射部は、２枚の平板を水平方向に起伏させた形状を有し、かつこれらが十字形状に略直交していてもよい。これにより、広い範囲に反射部を向けることができる。従って、より確実に反射部を鳥類に視認させることが可能となる。つまり、鳥類が、反射部の付近に接近するのを防止することが可能となる。
【００１８】
また、反射部は、弾性を有し、風圧で撓むよう構成されていてもよい。これにより、電力等特段の設備を必要とせず、反射部から反射する光の波長を著しく変化させることができる。従って、鳥類が忌避する複数の異なる波長を有する色（いわゆる玉虫色）を鳥害防止装置が常に変化を伴って、反射することとなる。
【００１９】
また、反射部および支持部は、絶縁体であってもよい。これにより、電線等電流が流れる線材であっても、鳥害防止装置を安全に設置することが可能となる。また、不測の事態によって、鳥害防止装置が電線等に接触したとしでも、安全性が保たれることとなる。
【００２０】
支持部は、反射部を設置する設置部と、支持部を電線に固定する固定部と、設置部を固定部の上方に配置する支柱部とを備えてもよい。設置部を備えることにより、反射部を確実に支持部に設置することができる。また、固定部を備えることによって、反射部が設置された支持部を電線等に確実に固定することが可能となる。また、設置部を固定部の上方（鉛直上方）に配置する支柱部を備えることにより、電線からの反射部を設置する距離を調節することができる。換言すれば、鳥害防止装置は、支持部を有することにより、鳥類を接近させたくない任意の場所に鳥害防止装置を安定して設置することができる。
【００２１】
また、設置部は、反射部を任意の方向に設置可能であってもよい。これにより、反射部を任意の方向に支持部に設置することができる。従って、鳥類が接近してくると推測される方向に反射部を指向させることが可能となり、鳥類が鳥害防止装置に接近するのを防止することができる。
【００２２】
また、支柱部と固定部とは複数の回転位置で固定可能であってもよい。これにより、支柱部は水平方向に任意の角度で固定部に固定することができる。従って、支柱部に設置された反射部を任意の角度で固定することが可能となる。つまり、鳥類が接近してくると推測される方向に反射部を指向させることが可能となり、鳥類が鳥害防止装置に接近するのを防止することができる。
【００２３】
また、設置部から反射部の先端までの長さは、支柱部の高さよりも短くてもよい。これにより、不測の事態によって反射部が、回転したとしても、反射部が電線に接触する可能性が著しく減少する。従って、反射部による電線の破損を極めて少なくすることが可能となる。
【００２４】
また、支柱部は、弾性を有し、風圧で撓むよう構成されていてもよい。これにより、電力等特段の設備を必要とせず、反射部から反射する光の波長を著しく変化させることができる。従って、鳥類が忌避する複数の異なる波長を有する色（いわゆる玉虫色）を鳥害防止装置が常に変化を伴って、反射することとなる。
【００２５】
また、固定部は、電線を挟持する電線挟持部をさらに備えていてもよい。これにより、電線挟持部で挟持するだけで、簡単かつ確実に鳥害防止装置を電線等に固定することが可能となる。
【００２６】
また、固定部は、電線に巻回させる帯状の巻回部をさらに備えていてもよい。これにより、巻回部を電線に巻回させるだけで、簡単かつ確実に鳥害防止装置を電線等に取り付けることが可能となる。また、巻回部は、帯状であるため、巻回部と電線等との間で摩擦力が生じる。従って、鳥害防止装置を、巻回部を通して電線等に一度固定されれば、鳥害防止装置は電線上を移動することなく確実に固定することができる。
【００２７】
また、巻回部は、電線と接触する面に粘着剤を備えていてもよい。これにより、巻回部と電線の表面の接触がより確実なものとなる。
【発明の効果】
【００２８】
本発明によれば、電線等に鳥類が着地するのを確実に防止しつつ、取り付けが簡単であり、かつ作業者の技能や経験によらず効果を発揮しうる鳥害防止装置を提供することができる。
【発明を実施するための最良の形態】
【００２９】
以下に図面を参照しながら、本発明にかかる鳥害防止装置の好適な実施形態について詳細に説明する。なお、以下の実施形態に示す。寸法、材料、その他具体的な数値などは、発明の理解を容易とするための例示に過ぎず、特に断る場合を除き、本発明を限定するものではない。また、本明細書及び図面において、実質的に同一の機能構成を有する構成要素については、同一の符号を付することにより重複説明を省略する。
【００３０】
（第一実施形態）
図１は、本実施形態にかかる鳥害防止装置１００の斜視図であり、図２は鳥害防止装置１００の使用態様を説明する図である。鳥害防止装置１００は、反射部１１０と支持部１２０で構成されている。
【００３１】
図１に示すように、反射部１１０は、平板を鉛直方向に起伏させた形状を有しており、鉛直上方向に露出するように支持部１１０に取り付けられている。
【００３２】
反射部１１０の表面は、起伏を繰り返す形状を有している。このため、光の反射面が様々な角度になる。また、反射部１１０は平板形状を有するため、広い範囲で光を反射させることが可能となる。従って、鳥類が反射部１１０を視認する確率が向上する。
【００３３】
また、反射部１１０の表面は、複数の異なる波長を有する色（いわゆる玉虫色）を有している。このため、視認する角度に応じて、反射部１１０から反射する光の波長が著しく変化する。これにより、鳥類が忌避する玉虫色を反射部１１０が常に変化を伴って、反射することとなる。
【００３４】
また、反射部１１０は、弾性を有し、風圧で撓むよう構成されている。これにより、電力等特段の設備を必要とせず、反射部１１０から反射する光の波長を著しく変化させることができる。また、反射部１１０が風圧で撓むことにより、反射部１１０が、不規則に動作し、鳥類を威嚇することができる。
【００３５】
また、反射部１１０および支持部１２０は、絶縁体で構成されている。これにより、電線等電流が流れる線材であっても、鳥害防止装置１００を安全に設置することが可能となる。また、不測の事態によって、鳥害防止装置１００が電線等に接触したとしでも、安全性を保つことができる。本実施形態では、絶縁体としてポリカーボネート（ＰＣ）を反射部１１０に用いているが、ポリエチレン（ＰＥ）等樹脂材料等の絶縁体を好適に用いることもできる。
【００３６】
上記支持部１２０は、さらに、設置部１２２と、支柱部１２４と、電線挟持部１２６を備えている。
【００３７】
上記設置部１２２は、締結部材として機能し、例えばネジで構成される。支柱部１２４には予めネジ穴が切ってあり、設置部１２２は支柱部１２４のネジ穴に締結される。これにより、反射部１１０を確実に支持部１２０に設置することができる。
【００３８】
また、設置部１２２は、ネジで構成されているため、反射部１１０を任意の方向に設置することができる。従って、鳥類１３０が接近してくると推測される方向に反射部１１０を指向させることが可能となり、鳥類１３０が鳥害防止装置１００に接近するのを防止することができる。
【００３９】
上記支柱部１２４は、設置部１２２を後述する電線挟持部１２６の上方に配置する。支柱部１２４を備えることにより、電線５００からの反射部１１０を設置する距離を調節することができる。
【００４０】
また、支柱部１２４は、弾性を有し、風圧で撓むよう構成してもよい。その場合、電力等特段の設備を必要とせず、支柱部１２４が風圧で撓むことにより、鳥害防止装置１００が、不規則に動作し、鳥類１３０を威嚇することができる。
【００４１】
上記電線挟持部１２６は、電線５００を狭持する。これにより、電線挟持部１２６で挟持するだけで、簡単かつ確実に鳥害防止装置１００を電線５００に固定することが可能となる。
【００４２】
図２に示すように、反射部１１０は、鉛直方向に起伏を繰り返している。これにより、鳥類１３０が反射部の上方を飛行する際、鳥類１３０は反射部１１０を視認することとなる。従って、鳥類１３０が反射部１１０の上方を飛行するときから、反射部１１０の付近に接近するのを防止でき、鳥類１３０を鳥害防止装置１００の近傍に着地させることを防ぐことが可能となる。
【００４３】
鳥害防止装置１００は、電線を設置する腕金から略３０ｃｍ以内に設置するとよい。鳥類が、腕金に営巣する場合、一旦電線に着地してから腕金に移動する。これは、鳥類は腕金の太さでは、太すぎて把持できないため、まず電線を把持してから腕金に移動して営巣する。鳥類の腕金への営巣を阻止するためには、鳥害防止装置が腕金から遠すぎると効果を奏しないため、腕金から略３０ｃｍ以内に鳥害防止装置を設置するとよい。
【００４４】
上記構成によれば、反射部１１０が起伏を繰り返す複雑な形状であるため、光の反射面が様々な角度になる。従って、玉虫色を有する反射部１１０の表面が強調される（反射部１１０から反射する光の波長が著しく変化される）こととなる。これにより、極めて有効に鳥類１３０が接近することを防止することが可能となり、糞害や営巣等の鳥害を防止することができる。
【００４５】
（第二実施形態）
本発明にかかる鳥害防止装置の第二実施形態について説明する。第一実施形態においては、平板を起伏させた形状を有する反射部で構成された鳥害防止装置を説明したが、他の形状を有する反射板でも構成できる。第二実施形態においては、かかる鳥害防止装置による構成に関して説明する。
【００４６】
図３は、第二実施形態にかかる鳥害防止装置２００の斜視図であり、図４は、第二実施形態にかかる鳥害帽子装置３００の斜視図である。上述した第一実施形態と機能が実質的に等しい構成要素については、説明を省略する。
【００４７】
図３に示す鳥害防止装置２００は、反射部２１０と支持部１２０を備えている。反射部２１０は、略円筒形状で構成されている。これにより、上下水平方向に反射部２１０を向けることができる。従って、上下水平方向からの鳥類の接近を防止することが可能となる。
【００４８】
図４に示す鳥害防止装置３００は、反射部３１０と支持部１２０を備えている。反射部３１０は、２枚の平板を水平方向に起伏させた形状を有し、かつこれらが十字形状に略直交して構成されている。これにより、広い範囲に反射部３１０を向けることができる。従って、より確実に反射部３１０を鳥類に視認させることが可能となる。つまり、鳥類が、反射部３１０の付近に接近するのを防止することが可能となる。
【００４９】
上記支持部１２０を構成する設置部１２２から反射部３１０の先端までの長さｒ１は、支柱部１２４の高さｒ２よりも短い。これにより、不測の事態によって反射部３１０が、曲がったり回転したりしたとしても、反射部３１０が電線５００に接触する可能性が著しく減少する。従って、反射部３１０による電線５００の破損を極めて少なくすることが可能となる。
【００５０】
本実施形態の構成によれば、多方向に玉虫色の表面を有する反射部を向けることができ、鳥類の鳥害防止装置への接近を阻止することが可能となる。従って、糞害や営巣等の鳥害を有効に防止することができる。
【００５１】
（第三実施形態）
本発明にかかる鳥害防止装置の第三実施形態を説明する。上記第一実施形態および第二実施形態においては、固定部に電線挟持部を備える鳥害防止装置を説明したが、巻回部を備えても構成できる。第三実施形態においては、かかる鳥害防止装置による構成に関して説明する。
【００５２】
図５は第三実施形態にかかる鳥害防止装置４００の斜視図であって、図５（ａ）は構成要素を説明する分解斜視図、図５（ｂ）は鳥害防止装置４００を電線に取り付けた状態を説明する図である。上述した第一実施形態および第二実施形態と機能が実質的に等しい構成要素については、説明を省略する。
【００５３】
図５（ａ）に示すように、鳥害防止装置４００は、反射部１１０と支持部４２０で構成されている。
【００５４】
かかる支持部４２０は、反射部１１０を設置する設置部４２２と、設置部４２２を固定部４２６の上方に配置する支柱部４２４と、固定部４２６とを備えている。
【００５５】
上記設置部４２２は、締結部材として機能し、例えばネジで構成される。支柱部４２４には予めネジ穴４２４ａが切ってあり、設置部４２２は支柱部４２４のネジ穴４２４ａに締結される。これにより、反射部１１０を確実に支持部４２０に設置することができる。
【００５６】
支柱部４２４と固定部４２６とは、複数の回転位置で固定可能である。これにより、支柱部４２４は水平方向に任意の角度で固定部４２６に固定することができる。従って、支柱部４２４に設置された反射部１１０を任意の角度で固定することが可能となる。つまり、鳥類が接近してくると推測される方向に反射部１１０を指向させることが可能となり、鳥類が鳥害防止装置４００に接近するのを防止することができる。
【００５７】
上記固定部４２６は、さらに電線５００に巻回させる帯状の巻回部４２８を備えている。これにより、図５（ｂ）に示すように巻回部４２８を電線５００に巻回させるだけで、簡単かつ確実に鳥害防止装置４００を電線５００に取り付けることが可能となる。また、巻回部４２８は、帯状であるため、巻回部４２８と電線５００との間で摩擦力が生じる。従って、鳥害防止装置４００を、巻回部４２８を通して電線５００に一度固定されれば、鳥害防止装置４００は電線５００上を移動することなく確実に固定することができる。
【００５８】
また、巻回部４２８は、電線５００と接触する面に粘着剤を備えていている。本実施形態で粘着剤はポリエチレンテープを用いているが、これに限定されるものでなく、電線表面に粘着できるものであれば足りる。これにより、巻回部４２８と電線５００の表面の接触がより確実なものとなる。
【００５９】
本実施形態の構成によれば、風圧や鳥類の接触によって回転してしまうことがなく、確実かつ安定して鳥害防止装置４００を設置することが可能となる。
【００６０】
以上、添付図面を参照しながら本発明の好適な実施形態について説明したが、本発明は係る例に限定されないことは言うまでもない。当業者であれば、特許請求の範囲に記載された範疇内において、各種の変更例または修正例に想到し得ることは明らかであり、それらについても当然に本発明の技術的範囲に属するものと了解される。
【００６１】
例えば、上記実施形態では、電線に設置される鳥害防止装置についての実施例を述べたが、かかる例に限られず、ごみ集荷場、果樹園、畑等の鳥害が問題となる場所でも利用することができる。
【産業上の利用可能性】
【００６２】
本発明は、鳥類の接近を阻止する鳥害防止装置として利用することができる。
【図面の簡単な説明】
【００６３】
【図１】第一実施形態にかかる鳥害防止装置の斜視図である。
【図２】第一実施形態にかかる鳥害防止装置の使用態様を説明する図である。
【図３】第二実施形態にかかる鳥害防止装置の斜視図である。
【図４】第二実施形態にかかる鳥害帽子装置の斜視図である。
【図５】第三実施形態にかかる鳥害防止装置の斜視図である。
【符号の説明】
【００６４】
１００、２００、３００、４００  …鳥害防止装置
１１０、２１０、３１０  …反射部
１２０、４２０  …支持部
１２２、４２２  …設置部
１２４、４２４  …支柱部
４２４ａ  …ネジ穴
１２６  …電線挟持部
１３０  …鳥類
４２６  …固定部
４２８  …巻回部
５００  …電線
【図１】
2008295314.tif 000003
【図２】
2008295314.tif 000004
【図３】
2008295314.tif 000005
【図４】
2008295314.tif 000006
【図５】
2008295314.tif 000007